(57)【特許請求の範囲】
【請求項１】
箱体開口部の周縁部に取り付けられた箱体側支持体、この箱体側支持体に対向する扉の周縁部に取り付けられた扉側支持体、及び一端が上記箱体側支持体に軸支され、且つ他端が上記扉側支持体にスライド自在に取り付けられることによって、上記扉側支持体と上記箱体側支持体間に跨って架設され上記扉の開閉を規制するストッパーアームを備え、
上記箱体側支持体、上記扉側支持体、及び上記ストッパーアームは、箱体の据付前、又は据付後のいずれの場合でも取り付け可能なように構成されており、上記ストッパーアームは、第１アームと第２アームの２部材で構成され、この２部材は、アームの長さの調節により上記扉の開角度を等角度単位に又は無段階に調節する伸縮機構によって連結され、
上記箱体側支持体は、中央平坦部と折曲げ両端部を有する部材で構成されると共に、一方の折曲げ端部と他方の折曲げ端部に螺入したボルトと、このボルトに設けた押え具とで形成したクランプ部で、上記箱体開口部の周縁部を挟み込むことによって上記箱体開口部の周縁部に取付け固定され、且つ上記中央平坦部に上記ストッパーアームの箱体側端部を軸支したことを特徴とする電気機器箱体の扉ストッパー。
【請求項２】
箱体開口部の周縁部に取り付けられた箱体側支持体、この箱体側支持体に対向する扉の周縁部に取り付けられた扉側支持体、及び一端が上記箱体側支持体に軸支され、且つ他端が上記扉側支持体にスライド自在に取り付けられることによって、上記扉側支持体と上記箱体側支持体間に跨って架設され上記扉の開閉を規制するストッパーアームを備え、
上記箱体側支持体、上記扉側支持体、及び上記ストッパーアームは、箱体の据付前、又は据付後のいずれの場合でも取り付け可能なように構成されており、上記ストッパーアームは、第１アームと第２アームの２部材で構成され、この２部材は、アームの長さの調節により上記扉の開角度を等角度単位に又は無段階に調節する伸縮機構によって連結され、  上記扉側支持体は、長手方向に延びる折曲げ側縁部と垂直平坦部とを有する部材と、上記垂直平坦部に螺入したボルトと、このボルトに設けた押え具とで形成され、上記部材と上記ボルトと上記押え具とによって上記扉の周縁部に取付け固定され、且つ長手方向に延びる折曲げ側縁部にアームスライド用長穴を設け、このアームスライド用長穴に上記ストッパーアームの扉側端部をスライド自在に取付けたことを特徴とする電気機器箱体の扉ストッパー。
【請求項３】
箱体開口部の周縁部に取り付けられた箱体側支持体、この箱体側支持体に対向する扉の周縁部に取り付けられた扉側支持体、及び一端が上記箱体側支持体に軸支され、且つ他端が上記扉側支持体にスライド自在に取り付けられることによって、上記扉側支持体と上記箱体側支持体間に跨って架設され上記扉の開閉を規制するストッパーアームを備え、
上記箱体側支持体、上記扉側支持体、及び上記ストッパーアームは、箱体の据付前、又は据付後のいずれの場合でも取り付け可能なように構成されており、上記ストッパーアームは、第１アームと第２アームの２部材で構成され、この２部材は、アームの長さの調節により上記扉の開角度を等角度単位に又は無段階に調節する伸縮機構によって連結され、
上記箱体側支持体は、中央平坦部と折曲げ両端部を有する部材で構成されると共に、一方の折曲げ端部と他方の折曲げ端部に螺入したボルトと、このボルトに設けた押え具とで形成したクランプ部で、上記箱体開口部の周縁部を挟み込むことによって上記箱体開口部の周縁部に取付け固定され、且つ上記中央平坦部に上記ストッパーアームの箱体側端部を軸支し、上記扉側支持体は、長手方向に延びる折曲げ側縁部と垂直平坦部とを有する部材と、上記垂直平坦部に螺入したボルトと、このボルトに設けた押え具とで形成され、上記部材と上記ボルトと上記押え具とによって上記扉の周縁部に取付け固定され、且つ長手方向に延びる折曲げ側縁部にアームスライド用長穴を設け、このアームスライド用長穴に上記ストッパーアームの扉側端部をスライド自在に取付けたことを特徴とする電気機器箱体の扉ストッパー。
【請求項４】
上記箱体側支持体と上記扉側支持体とは、それぞれ導電材で構成され導通したことを特徴とする請求項１から請求項３のいずれか１項に記載の電気機器箱体の扉ストッパー。 
【発明の詳細な説明】
【技術分野】
【０００１】
この発明は、配電盤、制御盤等の電気機器箱体（以下「箱体」という）の扉ストッパーに関するものである。
【背景技術】
【０００２】
従来の箱体においては、扉ストッパーを必要とする場合と必要としない場合に応じて扉、箱体の構造を変えて製作している（特許文献１参照）。
【先行技術文献】
【特許文献】
【０００３】
【特許文献１】特開２００７−２６７４６７号公報
【発明の概要】
【発明が解決しようとする課題】
【０００４】
従来の箱体は、特許文献１のように扉ストッパーが必要な場合に限って、ストッパー取付用部材を扉及び箱体に取付ける仕様にしていた。このため、機器の製作後、すなわち箱体の据付後に扉ストッパーが必要となった場合には、再製作あるいは追加加工が必要であった。また、扉ストッパーが取付けられた箱体であっても据付後に、扉開度調整が必要となった場合には、ストッパー取付用部材の取付けネジ類を工具で緩め、取付け位置を変更し開度を調整する必要があった。
この発明は、上記のような課題を解決するためのものであり、箱体の据付後であっても扉ストッパーが簡単に追加取付できる箱体を提供し、また扉の開度調整が容易にできることを目的とするものである。
【課題を解決するための手段】
【０００５】
この発明に係わる箱体の扉ストッパーは、箱体開口部の周縁部に取り付けられた箱体側支持体、この箱体側支持体に対向する扉の周縁部に取り付けられた扉側支持体、及び一端が上記箱体側支持体に軸支され、且つ他端が上記扉側支持体にスライド自在に取り付けられることによって、上記扉側支持体と上記箱体側支持体間に跨って架設され上記扉の開閉を規制するストッパーアームを備え、上記箱体側支持体、上記扉側支持体、及び上記ストッパーアームは、箱体の据付前、又は据付後のいずれの場合でも取り付け可能なように構成されており、上記ストッパーアームは、第１アームと第２アームの２部材で構成され、この２部材は、アームの長さの調節により上記扉の開角度を等角度単位に又は無段階に調節する伸縮機構によって連結され、上記箱体側支持体は、中央平坦部と折曲げ両端部を有する部材で構成されると共に、一方の折曲げ端部と他方の折曲げ端部に螺入したボルトと、このボルトに設けた押え具とで形成したクランプ部で、上記箱体開口部の周縁部を挟み込むことによって上記箱体開口部の周縁部に取付け固定され、且つ上記中央平坦部に上記ストッパーアームの箱体側端部を軸支したものである。
【発明の効果】
【０００６】
この発明の箱体の扉ストッパーによれば、箱体の据付後であっても扉ストッパーが簡単に追加取付でき、また扉の開度調整が容易にできる。
【図面の簡単な説明】
【０００７】
【図１】この発明の実施の形態１における扉ストッパーを採用した電気機器の外形を示す斜視図である。
【図２】この発明の実施の形態１における扉ストッパーを示し、図１におけII―II線を矢印方向に見た断面図である。
【図３】同じく、図１におけるIII―III線を矢印方向に見た断面図で、扉が開いた状態を示す説明図である。
【図４】同じく、図３の矢印Ａ方向に見た図で、扉が開いた状態を示す説明図である。
【図５】この発明の実施の形態１に使用した押え具の一例（押え板）を示す図で、（ａ）は正面図、（ｂ）は側面図である。
【図６】この発明の実施の形態２における扉ストッパーのストッパーアームを示す平面図である。
【発明を実施するための形態】
【０００８】
以下、図面に基づいて、この発明の各実施の形態を説明する。
なお、各図間において、同一符号は同一あるいは相当部分を示す。
【０００９】
実施の形態１
以下、この発明の実施の形態１を図１〜５に基づいて説明する。
図１は、制御盤、配電盤などの電気機器箱体の外形を示し、図２〜４はこの実施の形態１に係る扉ストッパーの構成を示す。
【００１０】
図１〜４において、箱体１の開口部を開閉する扉２の扉ストッパーＳは、箱体１の開口縁部１ａに取り付けた箱体側支持体Ｓ１と、この箱体側支持体Ｓ１に対向して扉２の周縁部２ａに取り付けた扉側支持体Ｓ２と、この扉側支持体Ｓ２と箱体側支持体Ｓ１間に跨って取り付けられ扉２の開閉を規制するストッパーアーム３によって構成されている。
そして、扉ストッパーＳを構成する、これら箱体側支持体Ｓ１、扉側支持体Ｓ２、及びストッパーアーム３は、後述するように箱体１の据付前、又は据付後のいずれの場合でも取り付け可能なように構成されている。
【００１１】
次に箱体１の開口縁部１ａに取り付け固定される箱体側支持体Ｓ１について説明する。
箱体側支持体Ｓ１は、固定軸金具（固定部材）８と、ボルト１０と、押え板（押え具）１２とを備えたクランプ部によって構成され、固定軸金具（固定部材）８は、断面コ字形に形成され中央平坦部８ｃと折曲げ両端部８ａ、８ｂとを有し、ボルト１０は固定軸金具の一方の折曲げ端部８ａに螺入され、また押え板１２は、ボルト１０の先端部にねじ１０ａで固定されている。
【００１２】
この箱体側支持体Ｓ１は、箱体１の開口縁部１ａに次のように取り付け固定される。
すなわち、箱体１の開口縁部１ａを、他の折曲げ端部８ｂと押え板１２間に挟み込み、ボルト１０を締め付けそのボルト１０の先端部で押え板１２を介し箱体１の開口縁部１ａを押圧することによって箱体側支持体Ｓ１が箱体１へ取付け固定される。
また、固定軸金具８の中央平坦部８ｃには、ストッパーアーム３の箱体側端部（後述の第１アーム３Ａの箱体側端部）が、固定軸ピン６によって軸支されている。
【００１３】
次に、扉２に取り付け固定される扉側支持体Ｓ２について説明する。
扉側支持体Ｓ２は、断面コ字形に形成され両側縁部に長手方向に延びる折曲げ側縁部９ａ、９ｂと中央垂直平坦部９ｃとを有する可動軸金具（可動部材）９と、中央垂直平坦部９ｃに螺入したボルト１１と、このボルト１１の先端部にねじ１１ａで固定された押え板（押え具）１３とによって構成されている。
【００１４】
この扉側支持体Ｓ２は、扉２の周縁部２ａに次のように取り付け固定される。
すなわち、可動軸金具９は、扉２の周縁部２ａに形成されたＵ字溝部２ｂに挿入され、中央垂直平坦部９ｃに螺入したボルト１１を回転することによりＵ字溝部２ｂ内において、可動軸金具９と押さえ板１３間が広がり、この押さえ板１３と中央垂直平坦部９ｃとによってＵ字溝部２ｂの両壁を押圧することにより扉２に固定される。
また、可動軸金具９の長手方向に延びる曲げ側縁部９ａには、アームスライド用長孔９ｄが設けられていて、後述するようにストッパーアーム３の扉側端部（後述の第２アーム３Ｂの扉側端部）がアームスライド用長孔９ｄにスライド自在に取付けられている。
【００１５】
扉側支持体Ｓ２の取り付け固定は、上記のように扉２の製作時に形成されたＵ字溝部２ｂを利用して行うため、箱体１の据付後に扉ストッパーＳを取り付け固定する場合であっても扉２に特別の加工、すなわち追加加工を必要としないものである。
なお、可動軸金具９は断面Ｌ字形の部材でも実施可能である。
【００１６】
次に扉側支持体Ｓ２と箱体側支持体Ｓ１間に跨って取り付けられ、扉２の開閉を規制するストッパーアーム３について説明する。
ストッパーアーム３は、図３に示すように第１アーム３Ａと第２アーム３Ｂの２部材で構成され、この２部材は伸縮機構によって連結されると共にこの伸縮機構によってストッパーアーム３の長さを調節し扉２の開角度を無段階に調節するものである。
【００１７】
伸縮機構は、第１アーム３Ａと第２アーム３Ｂの対向する両端部にねじ部３Ａ１、３Ｂ１を設け、このねじ部３Ａ１、３Ｂ１に調整ナット５を螺合し両者を連結することにより構成されている。
そして、第１アーム３Ａと第２アーム３Ｂのねじ部のうち、一方のねじ部３Ａ１に対し他方のねじ部３Ｂ１を逆ねじ切り加工して、調整ナット５を回動したとき進退自在な構成になされている。
すなわち、この伸縮機構は、調整ナット５の回動によってストッパーアーム３の長さを調節し、扉２の開角度を無段階に調節するものである。
さらに、上述したように、第１アーム３Ａの箱体側端部は、支点となる固定軸ピン６で回動自在に軸支され、第２アーム３Ｂの扉側端部は、可動軸ピン７でアームスライド用長孔９ｄにスライド自在に嵌め込まれている。
【００１８】
図５は、箱体側支持体Ｓ１、及び扉側支持体Ｓ２の一部を構成する押え板１２、１３の一例を示し、押さえ板の押え面に突起１２ａ、１３ａを加工することにより、箱体１、扉２に導通が必要な場合、導通処理をすることなく、箱体１、扉２の塗装膜を貫通し導通を得ることができる。
【００１９】
実施の形態２
図６に基づいて実施の形態２を説明する。
実施の形態２におけるストッパーアーム４は、２本の棒状部材４Ａ、４Ｂを束ねることにより構成され、その重合面に互いに噛み合う鋸歯状部（凹凸部）４Ａ２、４Ｂ２を形成し、その噛み合う位置を変えることによってストッパーアーム４を伸縮自在とし、扉２の開度の調整可能としたものである。
なお、２本の棒状部材４Ａ、４Ｂは、外周面にねじ部４Ａ１、４Ｂ１を有し、このねじ部に螺合した調整ナット５１によって一体になされ、また、このねじ部４Ａ１、４Ｂ１のねじピッチは鋸歯状部（凹凸部）４Ａ２、４Ｂ２のピッチと合せてある。
この実施の形態２によると、ストッパーアーム４の長さを調節する際、鋸歯状部（凹凸部）４Ａ２、４Ｂ２の噛み合わせ位置（齟齬位置）を変えれば、ストッパーアーム４の長さを段階的に調節でき、これに伴って扉２の開角度を等角度単位に調節できるものである。
【００２０】
なお、この発明は、その発明の範囲内において、各実施の形態を適宜、変形、省略することが可能である。
【符号の説明】
【００２１】
１  箱体
１ａ  箱体１の開口縁部
２  扉
２ａ  扉２の周縁部
２ｂ  扉２のＵ字溝部
３  ストッパーアーム
３Ａ  第１アーム
３Ａ１  ねじ部
３Ｂ  第２アーム
３Ｂ１  ねじ部
４  ストッパーアーム
４Ａ  第１アーム
４Ａ１  ねじ部
４Ａ２  凸部
４Ｂ  第２アーム
４Ｂ１  ねじ部
４Ｂ２  凹部
５  調整ナット
５１  調整ナット
Ｓ  扉ストッパー
Ｓ１  箱体側支持体
Ｓ２  扉側支持体
６  固定軸ピン
７  可動軸ピン
８  断面コ字形の固定軸金具（固定部材）
８ａ、８ｂ  固定軸金具の折曲げ両端部
８ｃ  固定軸金具の中央平坦部
９  断面コ字形の可動軸金具（可動部材）
９ａ、９ｂ  可動軸金具の折曲げ側縁部
９ｃ  可動軸金具の中央垂直平坦部
９ｄ  アームスライド用長孔
１０  箱体側のボルト
１０ａ  ねじ
１１  扉側のボルト
１１ａ  ねじ
１２  箱体側の押え板（押え具）
１２ａ  突起
１３    扉側の押え板（押え具）
１３ａ  突起。
【図１】
0005892820.tif 000002
【図２】
0005892820.tif 000003
【図３】
0005892820.tif 000004
【図４】
0005892820.tif 000005
【図５】
0005892820.tif 000006
【図６】
0005892820.tif 000007